(57)【要約】【課題】例えば住宅やビル等の建築物におけるコンクリート製の基礎や梁等の立上り部の上方にＡＬＣ（軽量気泡コンクリート）パネル等の壁パネルを取付けるための下地金物を支持する支持具およびそれを用いた下地金物の支持構造に係り、上記下地金物を所定の高さ位置に精度よく且つ簡単・確実に配置固定できるようにする。【解決手段】建築物におけるコンクリート製の基礎や梁等の立上り部１の天端付近に埋設して壁パネル取付用下地金物２を所定高さ位置に取付け支持させる支持具であって、上記立上り部１の天端付近に配置される天板１１の下面側に有底筒状の雌ねじ部材１２を一体的に設け、その雌ねじ部材１２の外周面に抜け止め係止片１３を一体的に設けると共に、上記雌ねじ部材１２に螺合するねじ杆１４と、そのねじ杆１４の上端部に一体的に設けた下地金物載置用受台１５とを備えたことを特徴とする。【選択図】  図１
2008138462.tif 000002
【特許請求の範囲】
【請求項１】
建築物におけるコンクリート製の基礎や梁等の立上り部の天端付近に埋設して壁パネル取付用下地金物を所定高さ位置に取付け支持させる支持具であって、上記立上り部の天端付近に配置される天板の下面側に有底筒状の雌ねじ部材を一体的に設け、その雌ねじ部材の外周面に抜け止め係止片を一体的に設けると共に、上記雌ねじ部材に螺合するねじ杆と、そのねじ杆の上端部に一体的に設けた下地金物載置用受台とを備えたことを特徴とする壁パネル取付用下地金物の支持具。
【請求項２】
上記天板を、上記立上り部の天端付近に略水平に配置される平面部の一端側に下向きの折曲部を有する断面Ｌ字形の金属板で形成してなる請求項１に記載の壁パネル取付用下地金物の支持具。
【請求項３】
上記天板を、上記立上り部の天端付近に略水平に配置される平板状の金属板で形成してなる請求項１に記載の壁パネル取付用下地金物の支持具。
【請求項４】
上記請求項１〜３のいずれかに記載の支持具を、その支持具の天板を上にしてコンクリート製の立上り部の天端付近に埋設し、上記支持具の雌ねじ部材に螺合するねじ杆を回動させて、そのねじ杆の上端部に設けた受台を所定の高さ位置に配置すると共に、その受台上に壁パネル取付用下地金物を載置して溶接等で固着するようにしたことを特徴とする壁パネル取付用下地金物の支持構造。
【発明の詳細な説明】
【技術分野】
【０００１】
本発明は、例えば住宅やビル等の建築物におけるコンクリート製の基礎や梁等の立上り部の上方にＡＬＣ（軽量気泡コンクリート）パネル等の壁パネルを取付けるための下地金物を支持する支持具およびそれを用いた支持構造に関する。
【背景技術】
【０００２】
従来、例えば図９に示すようにＡＬＣパネル等の壁パネルＰを、コンクリート製の基礎や梁等の立上り部１の上方に取付ける場合には、その立上り部１の上方にアングル材やフラットバー等よりなる下地金物２を配置し、その下地金物２の上に壁パネルＰを横方向に並べて載置固定するのが一般的である。なお、図示例の下地金物２は、略水平方向の横片２ａと略垂直方向の縦片２ｂとからなる断面Ｌ形の山形鋼や不等辺山形鋼が用いられ、その縦片２ｂに、壁パネルＰに取付けたイナズマプレート等の係止金具３を係合させた構成であり、その係止金具３は壁パネルＰの縦孔ｈ内に設けた縦パイプ４にボルト５を介して連結固定されている。図中、６は平プレートである。
【０００３】
上記のような下地金物２は、立上り部１の上方に精度よく設置固定する必要があるが、その基準となる基礎や梁等の立上り部は現場施工であるため、必ずしも所定の高さに精度よく形成することはできない。そのため、従来は図９に示すように予めコンクリートで形成した基礎や梁等の立上り部１の天端付近に複数個のアンカー挿入孔ｈ１を、上記立上り部１の長手方向に所定の間隔をおいて形成し、その各アンカー挿入孔ｈ１内に拡開式アンカー７を打設する。そして、その各アンカー７に形成した雌ねじ孔７ａにねじ杆８を螺合し、その各ねじ杆８の上端に溶接等で一体的に設けた受台９上に上記下地金物２を載置して溶接等で固定するようにしている。図中、７ｂは上記アンカー７の拡開用ウエッジ、Ｍは上記立上り部１の表面に施工したモルタル等の表装材、Ｓはその表装材Ｍと壁パネルＰとの間に介在させたシール材である。
【０００４】
しかし、上記のように予めコンクリートで形成した立上り部１に複数個のアンカー挿入孔ｈ１を形成するには、ドリル等で１つずつ穿孔しなければならないので、作業が煩雑かつ面倒で施工コストが大幅に増大すると共に、穿孔時に粉塵等が飛散して周囲環境や作業環境を損ねる等のおそれがある。また上記アンカー挿入孔ｈ１を形成する部位に補強鉄筋等があると、それにドリルが当たって破損したり、穿孔不能となって施工効率が大幅に低下する等の不具合がある。
【０００５】
そこで、下記特許文献１においては、予めコンクリートで低めに形成した基礎２の上方にセメントレベラー４を流し込んで硬化させることによって基礎天端を所定の高さ位置に水平に形成し、その基礎天端にフラットバーよりなる下地金物３を載置して、その下地金物３につなぎ金物１を溶接等で取付けると共に、そのつなぎ金物１に形成した孔１ｂに、上記基礎２内に埋設したアンカー筋５の上部を挿通して両者を溶接等で固着することが開示されている。
【０００６】
また下記特許文献２には、所定の高さに形成した基礎５０の側面に、断面逆Ｌ字形のレベル出し金物１を、基礎５０の長手方向に所定の間隔をおいて取付け、そのレベル出し金物１のほぼ水平な支持片２の上面にフラットバーよりなる下地金物７を載置すると共に、その下地金物７の側面を基礎５０に埋設したアンカー筋５５の上部突出部に溶接等で固着し、上記下地金物７と基礎５０との間に薄い鋼板等よりなるライナー９を適宜枚数介在させて上記下地金物７を所定の高さ位置に配置固定することが開示されている。
【０００７】
【特許文献１】特開平９−２７９６０３号公報
【特許文献２】特開平１０−８７２９号公報
【発明の開示】
【発明が解決しようとする課題】
【０００８】
しかしながら、上記特許文献１のように予めコンクリートで低めに形成した基礎２の上方にセメントレベラー４を流し込んで硬化させることによって基礎天端を所定の高さに形成するものは、基礎を形成する作業が２度手間になるので非能率的であり、また下地金物３とつなぎ金物１、およびそのつなぎ金物１とアンカー筋５とを、それぞれ定位置に配置した状態で、それらがズレないように充分に注意しながら溶接しなければならないので作業が大変面倒である等の不具合がある。
【０００９】
また上記特許文献２のように基礎５０の側面に取付けたレベル出し金物１を介して下地金物７を所定の高さ位置に配置した状態で、その下地金物７の側面をアンカー筋５５に溶接するのものは、上記下地金物７の位置合わせと溶接作業を同時に行わなければならないので作業が煩雑かつ面倒であると共に、上記下地金物７とアンカー筋５５との溶接箇所が小さく、しかも下地金物７の一側方を片持ち的に溶接するので、必ずしも充分な結合強度が得られないおそれがある。また上記下地金物７を所定高さ位置に取付け支持させるために、その下地金物７と基礎５０との間に、薄い鋼板等よりなるライナー９を、その設置場所毎に適宜枚数ずつ介在させなければならないので、作業が煩雑かつ面倒で施工コストが大幅に増大する等の不具合がある。
【００１０】
本発明は上記の問題点に鑑みて提案されたもので、コンクリート製の基礎や梁等の立上り部の上方に配置される壁パネル取付用下地金物を所定の高さ位置に精度よく且つ簡単・確実に配置固定することのできる支持具およびそれを用いた支持構造を提供することを目的とする。
【課題を解決するための手段】
【００１１】
上記の目的を達成するために本発明による壁パネル取付用下地金物の支持具およびそれを用いた支持構造は、以下の構成としたものである。すなわち、本発明による壁パネル取付用下地金物の支持具は、建築物におけるコンクリート製の基礎や梁等の立上り部の天端付近に埋設して壁パネル取付用下地金物を所定高さ位置に取付け支持させる支持具であって、上記立上り部の天端付近に配置される天板の下面側に有底筒状の雌ねじ部材を一体的に設け、その雌ねじ部材の外周面に抜け止め係止片を一体的に設けると共に、上記雌ねじ部材に螺合するねじ杆と、そのねじ杆の上端部に一体的に設けた下地金物載置用受台とを備えたことを特徴とする。
【００１２】
また本発明による壁パネル取付用下地金物の支持構造は、上記のように構成された支持具を、その支持具の天板を上にしてコンクリート製の立上り部の天端付近に埋設し、上記支持具の雌ねじ部材に螺合するねじ杆を回動させて、そのねじ杆の上端部に設けた受台を所定の高さ位置に配置すると共に、その受台上に壁パネル取付用下地金物を載置して溶接等で固着するようにしたことを特徴とする。
【発明の効果】
【００１３】
上記のように構成された本発明による壁パネル取付用下地金物の支持具およびそれを用いた壁パネル取付用下地金物の支持構造によれば、上記下地金物を支持する支持具を、コンクリート製の基礎や梁等の立上り部を形成する際に、該立上り部の天端付近に埋設させた状態で簡単・確実に取付けることができると共に、その支持具の上方に上記下地金物を載置することによって該下地金物を、所定の高さ位置に精度よく且つ簡単・確実に配置固定することが可能となる。
【００１４】
その結果、前記従来例のように予め形成したコンクリート製の基礎等の立上り部の天端にアンカー挿入孔を穿孔してアンカーを打設したり、上記立上り部の天端に後からセメントレベラーを打設して、その上に下地金物を配置する、或いは、下地金物と基礎との間に薄い鋼板等よりなるライナーを介在させる等の面倒がなく、施工効率を向上させることができると共に、施工コストを低減することが可能となる。
【発明を実施するための最良の形態】
【００１５】
以下、本発明による壁パネル取付用下地金物の支持具およびそれを用いた支持構造を図に示す実施形態に基づいて具体的に説明する。図１（ａ）は本発明による壁パネル取付用下地金物の支持構造の一実施形態を示す縦断面図、同図（ｂ）はその分解縦断面、図２は上記持構造に用いた支持具をコンクリート製立上り部の上面側から見た斜視図、図３は上記支持具を下側から見た斜視図である。
【００１６】
本実施形態の壁パネル取付用下地金物の支持具１０は、図１〜図３に示すようにコンクリート製の基礎や梁等の立上り部１の天端付近に埋設して壁パネル取付用下地金物２を所定高さ位置に取付け支持させるもので、上記支持具１０は、本実施形態においては図２および図３に示すように上記天端付近に配置される天板１１と、その天板１１の下面側に溶接等で一体的に設けた有底筒状の雌ねじ部材１２と、その雌ねじ部材１２の外周面に溶接等で一体的に設けた抜け止め係止片１３と、上記雌ねじ部材１２に螺合するねじ杆１４と、そのねじ杆１４の上端部にそれと一体的に設けた受台１５とよりなる。
【００１７】
上記天板１１は、本実施形態においては上記立上り部１の天端付近に略水平に配置される平面方形の平面部１１ａと、その平面部１１ａの一端側に形成した下向きの折曲部１１ｂとからなる断面Ｌ字形の金属板で形成したものである。その平面部１１ａの略中央部には貫通孔１１ｃが形成され、その貫通孔１１ｃに上記雌ねじ部材１２の上端部を貫通した状態で該雌ねじ部材１２が天板１１に溶接等で固着されている。さらに前記の抜け止め係止片１３は、本実施形態においては上記雌ねじ部材１２の下端部に、その軸線方向と直角方向に丸棒等の棒状体を貫通させて溶接等で固着した構成であり、その棒状体よりなる係止片１３の両端部は、上記雌ねじ部材１２の外周面よりも外方に突出して上記支持具１０を立上り部１に埋設したときの該支持具１０の抜け止め係止機能を有する。
【００１８】
なお、上記実施形態は、天板１１を、立上り部１の天端付近に配置される略水平な平面部１１ａと、その平面部１１ａの一端側に形成した折曲部１１ｂとからなる断面Ｌ字形の金属板で形成したが、上記のような折曲部１１ｂを省略して平面部１１ａのみで構成してもよい。図４〜図６はその一例を示すもので、上記天板１１を、前記立上り部１の天端付近に配設される略水平な平板状の金属板で形成したものである。他の構成は前記図１〜図３の実施形態と同様である。また上記各実施形態は天板１１の平面形状を方形、特に図の場合は長方形状に形成したが、上記天板１１の平面形状は適宜である。
【００１９】
また上記抜け止め係止片１３は、前記支持具１０を立上り部１の天端付近に埋設したときに該支持具１０を抜け止め係止できる構成であれば、その形状や個数等は適宜変更可能であり、例えば前記のような棒状体を雌ねじ部材１２の下端部に互いに直角方向に２本以上貫通させて設けるようにしてもよい。或いは上記雌ねじ部材１２の外周面に、放射状に突出する棒状体を溶接等で一体的に設ける、もしくは上記のような棒状体の代わりに突起状の係止片１３を雌ねじ部材１２の外周面に一体もしくは一体的に設けるようにしてもよい。
【００２０】
さらに受台１５は、本実施形態においては上記雌ねじ部材１２に螺合するねじ杆１４の上端部に、平面円形の金属板を溶接等で一体的に固着したものであるが、その受台１５の材質や平面形状は適宜変更可能であり、また上記ねじ杆１４と受台１５とを、例えば鋳造等により一体に形成することもできる。
【００２１】
上記のように構成された支持具１０は、前記立上り部１の長手方向複数箇所に所定の間隔（例えば６００ｍｍの間隔）をおいて設ける。また上記支持具１０は、上記立上り部１の天端付近に埋設させて設けるもので、例えば上記立上り部１をコンクリートで形成する際に埋設すればよい。
【００２２】
具体的には、例えば前記図１〜図３のように平面部１１ａの一端側に下向きの折曲部１１ｂを有する断面Ｌ字形の天板１１を備えた支持具１０にあっては、上記折曲部１１ｂを利用して埋設することができる。図７はその一例を示すもので、先ず同図（ａ）のように上記立上り部１を形成するための型枠２１・２２を所定の間隔をおいて配置固定し、その一方の型枠２２の内面の所定高さ位置に基準線等を設けて支持具１０を配置すると共に、その支持具１０の天板１１の折曲部１１ｂに予め形成した取付孔１１ｄに釘やビス等の取付具１６を挿通して上記支持具１０を型枠２２に取付ける。
【００２３】
次いで、図７（ｂ）に示すように上記両型枠２１・２２間に、コンクリートＣを投入して立上り部１を形成するもので、その際、上記天板１１の上面もしくはその近傍までコンクリートＣを投入することによって該コンクリートＣ内に支持具１０を埋設すればよい。そして、上記のコンクリートＣが充分に硬化して立上り部１が形成された後は、上記型枠２１・２２を外して撤去するもので、そのとき、上記取付孔１１ｄに挿通した釘やビス等の取付具１６の端部が図のように折曲部１１ｂの外面側に突出した状態で残っている場合には、その突出部を図の鎖線示のように上記折曲部１１ｂに沿って折曲げるか、或いはニッパー等で切除すればよい。
【００２４】
一方、前記図４〜図６の実施形態のように天板１１を平板状の金属板で形成した支持具１０にあっては、例えば図８（ａ）に示すように上記と同様の型枠２１・２２を所定の間隔をおいて配置固定した状態で、その両型枠２１・２２間に立上り部１を形成するためのコンクリートＣを所定の高さになるまで投入する。そして、そのコンクリートＣが或る程度硬化した半硬化状態になったところで、上記支持具１０を手または治具等で保持した状態で、図のように上からコンクリートＣ内に挿入する。その際、上記支持具１０を手または適宜の手段で振動させながら挿入すると容易に挿入することができる。
【００２５】
次いで、図８（ｂ）のように上記支持具１０の基板１１の上面が、上記コンクリートＣの上面もしくはその近傍の所定深さ位置まで下降したところで、上記の挿入動作を停止して上記コンクリートＣが硬化するのを待つもので、その際、上記コンクリート内に挿入した支持具１０が更に下降したり、傾く等のおそれがあるときは、例えば磁石や治具等の適宜の手段で上記の所定深さ位置に固定するようにしてもよい。そして上記コンクリートＣが充分に硬化したところで上記型枠２１・２２を外して撤去すればよい。
【００２６】
なお、上記のようにコンクリート製の立上り部１に支持具１０を埋設する際、上記図７及び図８においては、ねじ杆１４と受台１５とを雌ねじ部材１２から外した状態で施工したが、雌ねじ部材１２に取付けた状態で施工することもできる。
【００２７】
上記のようにしてコンクリート製の立上り部１の長手方向複数箇所に所定の間隔をおいて支持具１０を埋設し、その各支持具１０の雌ねじ部材１２にねじ杆１４をねじ込んだ状態で、各ねじ杆１４を回動させて、その上端部に設けた受台１５を所定の高さ位置に配置する。次いで、それらの受台１５上に下地金物２を載置すると共に、その下地金物２と受台１５とを溶接等で一体的に固着することによって、上記下地金物２を所定の高さ位置に固定する。なお、上記下地金物２は、本実施形態においては横片２ａと縦片２ｂとからなる断面Ｌ形の山形鋼や不等辺山形鋼を用いたが、平坦な帯板状の、いわゆるフラットバーを用いることもできる。
【００２８】
次に、上記のようにして所定高さ位置に配置固定した下地金物２の上部に、前記従来例と同様にＡＬＣパネル等の壁パネルＰを上記下地金物２の長手方向に沿って並べて配置すると共に、その各壁パネルＰの下端部を上記下地金物２に連結固定するもので、その構成は適宜であるが、図の場合は前記従来例と同様に各壁パネルＰの下端部に形成した孔ｈ内に縦パイプ４を収容配置し、その縦パイプ４に形成した雌ねじ孔（不図示）にボルト５をねじ込むことによって、イナズマプレート等の係止金具３をパネル内面に取付け、その係止金具３の下端部を上記下地金物２の縦片２ｂに係合保持させた構成である。
【００２９】
なお、上記立上り部１には、必要に応じて前記従来例と同様にモルタル等の表装材Ｍを施工すると共に、その表装材Ｍと壁パネルＰとの間にはシール材Ｓを介在させるのが望ましい。この場合、上記表装材Ｍは、少なくとも上記受台１５を所定の高さ位置に配置してから施工するのが望ましい。例えば上記受台１５を所定の高さ位置に配置してから、その受台１５の上面を基準面として、その高さ位置まで表装材Ｍを施工した後、その表装材Ｍおよび受台１５の上面に下地金物２を載置して受台１５に溶接等で固着する。或いは上記受台１５を所定の高さ位置に配置して、その上面に下地金物２を載置し且つ溶接等で固着したのち上記表装材Ｍを施工するようにしてもよい。
【００３０】
上記のように本発明による壁パネル取付用下地金物の支持具およびそれを用いた下地金物の支持構造は、コンクリート製の基礎や梁等の立上り部１を形成する際に、その立上り部１の天端付近に、上記下地金物２を支持する支持具１０を埋設するだけで簡単・確実に取付けることができると共に、その支持具１０の雌ねじ部材１２に螺合するねじ杆１４の上端部に設けた受台１５を上下動させて該受台１５上に上記下地金物２を載置することによって該下地金物２を、所定の高さ位置に精度よく且つ簡単・確実に配置固定することができる。その結果、前記従来例のように予め形成したコンクリート製の基礎等の立上り部の天端にアンカー挿入孔を穿孔してアンカーを打設したり、上記立上り部の天端に後からセメントレベラーを打設して、その上に下地金物を配置する、或いは、下地金物と基礎との間に薄い鋼板等よりなるライナーを介在させる等の面倒がなく、施工効率が大幅に向上して施工コストを可及的に低減することができるものである。
【産業上の利用可能性】
【００３１】
上記のように本発明は、コンクリート製の基礎や梁等の立上り部１を形成する際に、その立上り部１の天端付近に支持具１０を埋設させだけで簡単・確実に取付けることができると共に、その支持具１０に設けた受台１５を上下動させるだけで上記下地金物２を所定の高さ位置に精度よく設置固定することが可能となるもので、ＡＬＣパネルに限らず各種の壁パネル取付用下地金物の支持具およびそれを用いた壁パネル取付用下地金物の支持構造として産業上も有効に利用できるものである。
【図面の簡単な説明】
【００３２】
【図１】（ａ）は本発明による壁パネル取付用下地金物の支持構造の一実施形態を示す縦断面図、（ｂ）はその分解縦断面図。
【図２】上記支持構造に用いた支持具をコンクリート製の立上り部の上面側から見た斜視図。
【図３】上記支持具を下側から見た斜視図。
【図４】（ａ）は本発明による壁パネル取付用下地金物の支持構造の他の実施形態を示す縦断面図、（ｂ）はその分解縦断面図。
【図５】上記支持構造に用いた支持具をコンクリート製の立上り部の上面側から見た斜視図。
【図６】上記支持具を下側から見た斜視図。
【図７】図１で用いた支持具をコンクリート製の立上り部に埋設する状態の説明図。
【図８】図４で用いた支持具をコンクリート製の立上り部に埋設する状態の説明図。
【図９】（ａ）は従来の壁パネル取付用下地金物の支持構造の一例を示す縦断面図、（ｂ）はその分解縦断面図。
【符号の説明】
【００３３】
Ｐ  壁パネル
ｈ、ｈ１  孔
１  立上り部
２  下地金物
３  係止金具
４  縦パイプ
５  ボルト
６  平プレート
１０  支持具
１１  天板
１２  雌ねじ部材
１３  抜け止め係止片
１４  ねじ杆
１５  受台
【図１】
2008138462.tif 000003
【図２】
2008138462.tif 000004
【図３】
2008138462.tif 000005
【図４】
2008138462.tif 000006
【図５】
2008138462.tif 000007
【図６】
2008138462.tif 000008
【図７】
2008138462.tif 000009
【図８】
2008138462.tif 000010
【図９】
2008138462.tif 000011